(57)【要約】  ＷｉＧｉｇコンピューティングのためのシステム、方法、およびデバイスが開示される。一実施形態では、システムは、ウェアラブルコンピューティングデバイスであって、コンピュータプロセッサと、第１のＷｉＧｉｇインターフェースと、ウェアラブルコンピューティングデバイスがユーザによって装着されているかどうかを検知するセンサーとを有する、ウェアラブルコンピューティングデバイスを含んでもよい。センサーは、ウェアラブルコンピューティングデバイスが装着されていることを検知したとき、ＷｉＧｉｇインターフェースを有効にすること、または、ウェアラブルコンピューティングデバイスが装着されていないことを検知したとき、ＷｉＧｉｇインターフェースを無効にすることのいずれかを行う。システムは、ディスプレイと、第２のＷｉＧｉｇインターフェースと、人間入力を受信するヒューマンインターフェースデバイスとを有するディスプレイデバイスをも含んでもよい。ウェアラブルコンピューティングデバイスは、ウェアラブルコンピューティングデバイスがディスプレイデバイスのための中央処理ユニットとして機能するように、ＷｉＧｉｇ通信ネットワークを使用してディスプレイデータをディスプレイデバイスに送信し、ＷｉＧｉｇ通信ネットワークを使用してディスプレイデバイスから人間入力データを受信する。
2019527421.tif 000002
【特許請求の範囲】
【請求項１】
ウェアラブルコンピューティングデバイスであって、
コンピュータプロセッサと、
第１のＷｉＧｉｇインターフェースと、
前記ウェアラブルコンピューティングデバイスがユーザによって装着されているかどうかを検知するセンサーであって、前記ウェアラブルコンピューティングデバイスが装着されていることを検知したとき、前記ＷｉＧｉｇインターフェースを有効にすること、または、前記ウェアラブルコンピューティングデバイスが装着されていないことを検知したとき、前記ＷｉＧｉｇインターフェースを無効にすることのいずれかを行う、センサーと
を含む、ウェアラブルコンピューティングデバイスと、
ディスプレイと、
第２のＷｉＧｉｇインターフェースと、
人間入力を受信するヒューマンインターフェースデバイスと
を含む、ディスプレイデバイスと
を含む、ワイヤレスコンピューティングのためのシステムであって、
前記ウェアラブルコンピューティングデバイスは、前記ウェアラブルコンピューティングデバイスが前記ディスプレイデバイスのための中央処理ユニットとして機能するように、ＷｉＧｉｇ通信ネットワークを使用してディスプレイデータを前記ディスプレイデバイスに送信し、前記ＷｉＧｉｇ通信ネットワークを使用して前記ディスプレイデバイスから人間入力データを受信する、システム。
【請求項２】
前記センサーが生体センサーを含む、請求項１に記載のシステム。
【請求項３】
前記ウェアラブルコンピューティングデバイスが、クラスプを含むバンドをさらに含み、前記センサーは、前記クラスプが開いているのか閉じているのかを検出する、請求項１に記載のシステム。
【請求項４】
前記ヒューマンインターフェースデバイスがタッチセンシティブ入力部を含む、請求項１に記載のシステム。
【請求項５】
前記タッチセンシティブ入力部がタッチセンシティブスクリーンを含む、請求項４に記載のシステム。
【請求項６】
前記ヒューマンインターフェースデバイスが画像キャプチャデバイスを含む、請求項１に記載のシステム。
【請求項７】
前記ディスプレイデバイスがタブレットコンピュータを含む、請求項１に記載のシステム。
【請求項８】
ウェアラブルコンピューティングデバイスであって、第１のコンピュータプロセッサと、第１のＷｉＧｉｇインターフェースと、前記ウェアラブルコンピューティングデバイスが装着されているかどうかを検知するセンサーとを含む、ウェアラブルコンピューティングデバイスが、
前記ウェアラブルコンピューティングデバイスがユーザによって装着されていると決定するステップと、
ディスプレイと、第２のＷｉＧｉｇインターフェースと、人間入力を受信するヒューマンインターフェースデバイスとを含むディスプレイデバイスとの双方向ＷｉＧｉｇ通信を確立するステップであって、前記ウェアラブルコンピューティングデバイスは、前記ウェアラブルコンピューティングデバイスが前記ディスプレイデバイスのための中央処理ユニットとして機能するように、ＷｉＧｉｇ通信ネットワークを使用してディスプレイデータを前記ディスプレイデバイスに送信し、前記ＷｉＧｉｇ通信ネットワークを使用して前記ディスプレイデバイスから人間入力データを受信する、確立するステップと
を含む、ワイヤレスコンピューティングのための方法。
【請求項９】
前記ディスプレイデバイスとの前記双方向ＷｉＧｉｇ通信を確立する前記ステップは、
前記ウェアラブルコンピューティングデバイスが前記ディスプレイデバイスのための識別子を受信するステップ
を含む、請求項８に記載の方法。
【請求項１０】
前記識別子が機械可読コードを含む、請求項９に記載の方法。
【請求項１１】
前記識別子が英数字コードを含む、請求項９に記載の方法。
【請求項１２】
前記ディスプレイデバイスとの前記双方向ＷｉＧｉｇ通信を確立する前記ステップは、
前記ウェアラブルコンピューティングデバイスが前記ディスプレイデバイスのための識別子を表示するステップ
を含む、請求項８に記載の方法。
【請求項１３】
前記識別子が機械可読コードを含む、請求項１２に記載の方法。
【請求項１４】
前記識別子が英数字コードを含む、請求項１２に記載の方法。
【請求項１５】
前記ウェアラブルコンピューティングデバイスが前記ユーザによって装着されていないことを前記センサーが検出したことに応答して、前記第１のＷｉＧｉｇインターフェースを無効にするステップ
をさらに含む、請求項８に記載の方法。
【請求項１６】
前記センサーが生体センサーを含む、請求項１５に記載の方法。
【請求項１７】
前記ウェアラブルコンピューティングデバイスが、クラスプを含むバンドをさらに含み、前記センサーは、前記クラスプが開いているのか閉じているのかを検出する、請求項１５に記載の方法。
【請求項１８】
前記ヒューマンインターフェースデバイスがタッチセンシティブ入力部を含み、前記タッチセンシティブ入力部がタッチセンシティブスクリーンを含む、請求項８に記載の方法。
【請求項１９】
前記ヒューマンインターフェースデバイスが画像キャプチャデバイスを含む、請求項８に記載の方法。
【請求項２０】
前記ディスプレイデバイスがタブレットコンピュータを含む、請求項８に記載の方法。
【発明の詳細な説明】
【技術分野】
【０００１】
関連出願
[0001]本出願は、その開示の全体が参照により本明細書に組み込まれる、２０１６年７月１２日に出願された米国仮特許出願第６２／３６１，１４５号の優先権を主張する。
【０００２】
[0002]本開示は、一般に、ＷｉＧｉｇコンピューティングのためのシステム、方法、およびデバイスに関する。
【背景技術】
【０００３】
[0003]ブリックアンドモルタル（ｂｒｉｃｋ  ａｎｄ  ｍｏｒｔａｒ）遠隔ロケーションにおいてモバイルコンピューティングを採用することは、モバイルデバイス（たとえば、タブレット、ワイヤレスフォームファクタコンピュータなど）およびそれらのデバイスのコンテンツ、ならびにワイヤレスネットワーキングを介したそれらのデバイスへのアクセスを完全にセキュアにすることができないので、困難である。従来の手法は、暗号化、生体認証などを含む。しかしながら、これらの手法は、依然として、物理デバイスの紛失および／または個人識別可能情報（ＰＩＩ：ｐｅｒｓｏｎａｌ  ｉｄｅｎｔｉｆｉａｂｌｅ  ｉｎｆｏｒｍａｔｉｏｎ）の消失、ならびにネットワークまたはシステムへのアクセスの喪失を含む脆弱性を有する。
【発明の概要】
【課題を解決するための手段】
【０００４】
[0004]ＷｉＧｉｇコンピューティングのためのシステム、方法、およびデバイスが開示される。一実施形態では、ワイヤレスコンピューティングのためのシステムは、ウェアラブルコンピューティングデバイスであって、コンピュータプロセッサと、第１のＷｉＧｉｇインターフェースと、ウェアラブルコンピューティングデバイスがユーザによって装着されているかどうかを検知するセンサーとを有する、ウェアラブルコンピューティングデバイスを含んでもよい。センサーは、ウェアラブルコンピューティングデバイスが装着されていることを検知したとき、ＷｉＧｉｇインターフェースを有効にすること、または、ウェアラブルコンピューティングデバイスが装着されていないことを検知したとき、ＷｉＧｉｇインターフェースを無効にすることのいずれかを行う。システムは、ディスプレイと、第２のＷｉＧｉｇインターフェースと、人間入力を受信するヒューマンインターフェースデバイスとを有するディスプレイデバイスをも含んでもよい。ウェアラブルコンピューティングデバイスは、ウェアラブルコンピューティングデバイスがディスプレイデバイスのための中央処理ユニットとして機能するように、ＷｉＧｉｇ通信ネットワークを使用してディスプレイデータをディスプレイデバイスに送信し、ＷｉＧｉｇ通信ネットワークを使用してディスプレイデバイスから人間入力データを受信する。
【０００５】
[0005]一実施形態では、センサーは生体センサーでもよい。
[0006]一実施形態では、ウェアラブルコンピューティングデバイスは、クラスプ（ｃｌａｓｐ）を有するバンドをも含んでもよく、センサーは、クラスプが開いているのか閉じているのかを検出する。
【０００６】
[0007]一実施形態では、ヒューマンインターフェースデバイスはタッチセンシティブ入力部を含んでもよい。一実施形態では、タッチセンシティブ入力部はタッチセンシティブスクリーンでもよい。
【０００７】
[0008]一実施形態では、ヒューマンインターフェースデバイスは画像キャプチャデバイスを含んでもよい。
[0009]一実施形態では、ディスプレイデバイスはタブレットコンピュータの一部でもよい。
【０００８】
[0010]別の実施形態によれば、ワイヤレスコンピューティングのための方法が開示される。ウェアラブルコンピューティングデバイスであって、第１のコンピュータプロセッサと、第１のＷｉＧｉｇインターフェースと、ウェアラブルコンピューティングデバイスが装着されているかどうかを検知するセンサーとを含む、ウェアラブルコンピューティングデバイスが、（１）ウェアラブルコンピューティングデバイスがユーザによって装着されていると決定するステップと、（２）ディスプレイと、第２のＷｉＧｉｇインターフェースと、人間入力を受信するヒューマンインターフェースデバイスとを含むディスプレイデバイスとの双方向ＷｉＧｉｇ通信を確立するステップとを行ってもよい。ウェアラブルコンピューティングデバイスは、ウェアラブルコンピューティングデバイスがディスプレイデバイスのための中央処理ユニットとして機能するように、ＷｉＧｉｇ通信ネットワークを使用してディスプレイデータをディスプレイデバイスに送信し、ＷｉＧｉｇ通信ネットワークを使用してディスプレイデバイスから人間入力データを受信してもよい。
【０００９】
[0011]一実施形態では、ディスプレイデバイスとの双方向ＷｉＧｉｇ通信を確立するステップは、ウェアラブルコンピューティングデバイスがディスプレイデバイスのための識別子を受信するステップを含んでもよい。識別子は、機械可読コード、英数字コードなどを含んでもよい。
【００１０】
[0012]別の実施形態では、ディスプレイデバイスとの双方向ＷｉＧｉｇ通信を確立するステップは、ウェアラブルコンピューティングデバイスがディスプレイデバイスのための識別子を表示するステップを含んでもよい。識別子は、機械可読コード、英数字コードなどを含んでもよい。
【００１１】
[0013]一実施形態では、本方法は、ウェアラブルコンピューティングデバイスがユーザによって装着されていないことをセンサーが検出したことに応答して、第１のＷｉＧｉｇインターフェースを無効にするステップをさらに含んでもよい。
【００１２】
[0014]一実施形態では、センサーは生体センサーを含んでもよい。
[0015]一実施形態では、ウェアラブルコンピューティングデバイスは、クラスプを有するバンドをも含んでもよく、センサーは、クラスプが開いているのか閉じているのかを検出する。
【００１３】
[0016]一実施形態では、ヒューマンインターフェースデバイスはタッチセンシティブ入力部を含んでもよく、タッチセンシティブ入力部はタッチセンシティブスクリーンでもよい。
【００１４】
[0017]一実施形態では、ヒューマンインターフェースデバイスは画像キャプチャデバイスを含んでもよい。
[0018]一実施形態では、ディスプレイデバイスはタブレットコンピュータの一部でもよい。
【００１５】
[0019]他の実施形態によれば、ウェアラブルコンピューティングデバイスが開示される。一実施形態では、ウェアラブルコンピューティングデバイスは、コンピュータプロセッサと、第１のＷｉＧｉｇインターフェースと、ウェアラブルコンピューティングデバイスがユーザによって装着されているかどうかを検知するセンサーであって、ウェアラブルコンピューティングデバイスが装着されていることを検知したとき、ＷｉＧｉｇインターフェースを有効にすること、または、ウェアラブルコンピューティングデバイスが装着されていないことを検知したとき、ＷｉＧｉｇインターフェースを無効にすることのいずれかを行う、センサーとを含んでもよい。
【００１６】
[0020]一実施形態では、センサーは生体センサーでもよい。
[0021]一実施形態では、ウェアラブルコンピューティングデバイスは、クラスプを有するバンドをも含んでもよく、センサーは、クラスプが開いているのか閉じているのかを検出する。
【００１７】
[0022]一実施形態では、ウェアラブルコンピューティングデバイスは、ディスプレイと、第２のＷｉＧｉｇインターフェースと、人間入力を受信するヒューマンインターフェースデバイスとを有するディスプレイデバイスと対話してもよい。ウェアラブルコンピューティングデバイスは、ウェアラブルコンピューティングデバイスがディスプレイデバイスのための中央処理ユニットとして機能するように、ＷｉＧｉｇ通信ネットワークを使用してディスプレイデータをディスプレイデバイスに送信してもよく、ＷｉＧｉｇ通信ネットワークを使用してディスプレイデバイスから人間入力データを受信してもよい。
【００１８】
[0023]一実施形態では、ヒューマンインターフェースデバイスはタッチセンシティブ入力部を含んでもよい。一実施形態では、タッチセンシティブ入力部はタッチセンシティブスクリーンでもよい。
【００１９】
[0024]一実施形態では、ヒューマンインターフェースデバイスは画像キャプチャデバイスを含んでもよい。
[0025]本発明、本発明の目的および利点のより完全な理解のために、次に、添付の図面とともに与えられる、以下の説明が参照される。
【図面の簡単な説明】
【００２０】
【図１】[0026]一実施形態による、ＷｉＧｉｇコンピューティングのためのシステムを示す図である。
【図２】[0027]一実施形態による、ＷｉＧｉｇコンピューティングのための方法を示す図である。
【発明を実施するための形態】
【００２１】
[0028]本明細書で開示される実施形態は、ワイヤレスギガビット（「ＷｉＧｉｇ」）を伴うコンピューティングためのシステムおよび方法に関する。ＷｉＧｉｇは、短い距離にわたるマルチギガビット速度を提供する６０ＧＨｚワイヤレスネットワーキング技術である。ＷｉＧｉｇは、双方向ビデオおよび対話のシームレスストリーミングを可能にする。
【００２２】
[0029]本開示はＷｉＧｉｇのコンテキストにおいて行われるが、他のＷｉＦｉ速度がワイヤレスコンピューティングデバイスとディスプレイデバイスとの間の双方向通信をサポートするのに十分である限り、必要に応じておよび／または要望に応じて他のＷｉＦｉ速度を使用してもよいことを認識されたい。
【００２３】
[0030]図１を参照すると、一実施形態によるＷｉＧｉｇコンピューティングシステムが示されている。システム１００は、ユーザが装着してもよいＷｉＧｉｇコンピューティングデバイス１１０を含んでもよい。たとえば、ＷｉＧｉｇコンピューティングデバイス１１０は、ユーザの手首に装着するためのリストバンド１１２を備えてもよい。ＷｉＧｉｇコンピューティングデバイスを、必要に応じておよび／または要望に応じて、他の位置に装着してもよいか、または、ユーザが物理的に携帯してもよい。
【００２４】
[0031]一実施形態では、ＷｉＧｉｇコンピューティングデバイスは、ユーザが携帯してもよいポータブル電子デバイスを含んでもよい。一実施形態では、ＷｉＧｉｇコンピューティングデバイスは、ユーザが携帯してもよいカード、バッジなどに近接していることを検知してもよい。
【００２５】
[0032]一実施形態では、ＷｉＧｉｇコンピューティングデバイス１１０は、マイクロプロセッサベースデバイスでもよく、マイクロプロセッサ（ＣＰＵ）と、メモリと、少なくとも１つのワイヤレスインターフェース１１６とを含んでもよい。ＷｉＧｉｇコンピューティングデバイス１１０は、ＷｉＧｉｇコンピューティングデバイス１１０が装着されているかどうか、または体から取り外されたかどうかを決定するために使用してもよい、生体センサーなど、１つまたは複数のセンサー１１４をさらに含んでもよい。
【００２６】
[0033]必要に応じておよび／または要望に応じて、リストバンド１１２に加えて、またはリストバンド１１２の代わりに、任意の好適な固定デバイスを使用してもよい。同様に、必要に応じておよび／または要望に応じて、他の検知デバイスを使用してもよい。
【００２７】
[0034]一実施形態では、ＷｉＧｉｇコンピューティングデバイスが装着されていないこと、取り外されたこと、異なる人によって装着されていることなどをセンサー１１４が検知したとき、ワイヤレスインターフェース１１６を無効にしてもよい。代替的に、ＷｉＧｉｇコンピューティングデバイスが装着されていることをセンサー１１４が検知したとき、ワイヤレスインターフェース１１６を有効にしてもよい。
【００２８】
[0035]必要に応じておよび／または要望に応じて、ＷｉＧｉｇコンピューティングデバイス１１０が装着されていないとき、ＷｉＧｉｇコンピューティングデバイス１１０からのおよび／またはＷｉＧｉｇコンピューティングデバイス１１０への通信を有効または無効にする任意の他の好適な様式を使用してもよい。
【００２９】
[0036]一実施形態では、ＷｉＧｉｇコンピューティングデバイス１１０は、ディスプレイ（図示せず）を含んでもよい。たとえば、ＷｉＧｉｇコンピューティングデバイス１１０は、必要に応じておよび／または要望に応じて、ＷｉＧｉｇコンピューティングデバイス１１０を、ディスプレイ１３０、タブレットコンピュータ１３５、端末１４０、または任意の他のデバイスなど、外部デバイスとペアリングするために使用してもよいコードまたは他の識別子を表示してもよい。
【００３０】
[0037]一実施形態では、インターフェース１１６は、たとえば、クラウド１２０（たとえば、クラウドコンピューティング、クラウドメモリなど）、サーバ１２５、ディスプレイ１３０、タブレット１３５、端末１４０などと通信してもよいＷｉＧｉｇインターフェースでもよい。
【００３１】
[0038]一実施形態では、ディスプレイ１３０、タブレット１３５、および／または端末１４０は、ディスプレイを制御してもよいコンピュータプロセッサ（たとえば、マイクロプロセッサ、マイクロコントローラ、ＡＳＩＣなど）（図示せず）を含んでもよい。ディスプレイ１３０、タブレット１３５、および／または端末１４０は、ＷｉＧｉｇコンピューティングデバイス、クラウド１２０、および／またはサーバ１２５と通信するためのワイヤレスインターフェース（図示せず）をさらに含んでもよい。
【００３２】
[0039]一実施形態では、コントローラおよび／またはワイヤレスインターフェースを、ディスプレイ１３０、タブレット１３５、および／または端末１４０のための別個のデバイスとして与えてもよい。
【００３３】
[0040]一実施形態では、ディスプレイ１３０、タブレット１３５、および／または端末１４０は、主に、ＷｉＧｉｇコンピューティングデバイス１１０から与えられた情報を表示することと、１つまたは複数のヒューマンインターフェースデバイス１４５（たとえば、キーボード、マウス、タッチパッド、画像キャプチャデバイスなど）から入力情報を受信してＷｉＧｉｇコンピューティングデバイス１１０に通信することとを行うように機能する「ダム（ｄｕｍｂ）」デバイスでもよい。一実施形態では、ヒューマンインターフェースデバイス１４５は、ワイヤによって、ワイヤレスに（たとえば、Ｂｌｕｅｔｏｏｔｈ（登録商標）、ＩＲ、ＮＦＣ）など、ディスプレイ１３０、タブレット１３５、および／または端末１４０とインターフェースしてもよい。ディスプレイ１３０、タブレット１３５、および／または端末１４０は、ＷｉＧｉｇ通信を使用してヒューマンインターフェースデバイス１４５からのデータをＷｉＧｉｇコンピューティングデバイス１１０に与えてもよい。
【００３４】
[0041]別の実施形態では、ヒューマンインターフェースデバイス１４５は、たとえば、Ｂｌｕｅｔｏｏｔｈ、ＮＦＣなどを使用して、ワイヤレスに、ＷｉＧｉｇコンピューティングデバイス１１０と直接インターフェースしてもよい。
【００３５】
[0042]一実施形態では、ディスプレイ１３０、タブレット１３５、および／または端末１４０は、いかなるデータも記憶せず、それにより、これらのデバイスのうちのいずれかが紛失されるか、盗まれるか、またはさもなければ危険にさらされる場合、ＰＩＩの消失のリスクを緩和してもよい。たとえば、ディスプレイ１３０、タブレット１３５、および／または端末１４０は、ＷｉＧｉｇコンピューティングデバイス１１０および／またはヒューマンインターフェースデバイス１４５からのデータを、揮発性メモリにのみ記憶してもよい。一実施形態では、ＷｉＧｉｇコンピューティングデバイス１１０が、ディスプレイ１３０、タブレット１３５、および／または端末１４０から切断されたとき、ディスプレイ１３０、タブレット１３５、および／または端末１４０の揮発性メモリを、メモリ、パワーサイクリングディスプレイ１３０、タブレット１３５、および／または端末１４０などをワイプすることによって、クリアする場合がある。
【００３６】
[0043]一実施形態では、ディスプレイ１３０、タブレット１３５、ならびに／または端末１４０のうちのいずれかおよび（１つまたは複数の）ヒューマンインターフェースデバイス１４５との、ＷｉＧｉｇコンピューティングデバイス１１０の組合せは、スタンドアロンコンピューティングデバイスとして機能してもよい。たとえば、ＷｉＧｉｇコンピューティングデバイス１１０は、ＷｉＧｉｇコンピューティングデバイス１１０が、ディスプレイ１３０、タブレット１３５、および／または端末１４０の範囲内にあるとき、これらのデバイスが、デスクトップ、ノートブック、またはタブレットコンピュータと同様である様式で一緒に機能するように、ディスプレイ１３０、タブレット１３５、および／または端末１４０のうちのいずれかのための「コンピュータ」として働いてもよい。
【００３７】
[0044]一実施形態では、ＷｉＧｉｇコンピューティングデバイス１１０と、ディスプレイ１３０、タブレット１３５、および／または端末１４０とは、ＷｉＧｉｇ通信を使用して通信してもよい。一実施形態では、ＷｉＧｉｇ通信は双方向でもよく、すなわち、ＷｉＧｉｇコンピューティングデバイス１１０からのデータ（たとえば、ユーザのために表示すべきデータ）を、ディスプレイ１３０、タブレット１３５、および／または端末１４０に通信してもよく、ディスプレイ１３０、タブレット１３５、および／または端末１４０からのデータ（たとえば、ヒューマンインターフェースデバイス１４５からのデータ）を、ＷｉＧｉｇコンピューティングデバイスに通信してもよい。
【００３８】
[0045]ただし、一実施形態では、ＷｉＧｉｇコンピューティングデバイス１１０が、ディスプレイ１３０、タブレット１３５、および／または端末１４０から十分な距離だけ分離されるか、手動で切断されるか、あるいは、ディスプレイ１３０、タブレット１３５、および／または端末１４０とペアリングされなかったとき、ディスプレイ１３０、タブレット１３５、および／または端末１４０は、ＷｉＧｉｇコンピューティングデバイス１１０に接続されることなしに、そのままで機能してもよい。
【００３９】
[0046]一実施形態では、ＷｉＧｉｇコンピューティングデバイス１１０は、ＷｉＧｉｇ速度が必要とされないとき、任意の他の好適な通信プロトコル（たとえば、ＷｉＦｉ、Ｂｌｕｅｔｏｏｔｈ、ＮＦＣなど）によってクラウド１２０、サーバ１２５、ディスプレイ１３０、タブレット１３５、および／または端末１４０と通信してもよい。
【００４０】
[0047]一実施形態では、ＷｉＧｉｇコンピューティングデバイス１１０は、必要に応じておよび／または要望に応じて別のコンピューティングデバイス（図示せず）と通信してもよい。一実施形態では、ユーザが、ディスプレイ１３０、タブレット１３５、または端末１４０のうちの１つを使用するために、２つのＷｉＧｉｇコンピューティングデバイス１１０が必要とされる場合がある。たとえば、一実施形態では、ＷｉＧｉｇまたはそれ以外の、第２のコンピューティングデバイス（図示せず）が、ＷｉＧｉｇコンピューティングデバイス１１０を装着するユーザが、ディスプレイ１３０、タブレット１３５、または端末１４０のうちの１つとともにＷｉＧｉｇコンピューティングデバイス１１０を使用することを許可してもよい。
【００４１】
[0048]上述のように、ＷｉＧｉｇコンピューティングデバイス１１０は、コンピューティングデバイスがいつユーザから取り外されたかを決定してもよいセンサー１１４を含んでもよい。たとえば、ＷｉＧｉｇコンピューティングデバイス１１０を使用する前に、ユーザは、ＷｉＧｉｇコンピューティングデバイス１１０および／またはサーバ１２５を認証することを必要とされる場合がある。必要に応じておよび／または要望に応じて、任意の好適な認証プロトコルおよび／またはモダリティ（たとえば、生体、ユーザＩＤ／パスコードなど）を使用してもよい。
【００４２】
[0049]一実施形態では、センサー１１４は、ＷｉＧｉｇコンピューティングデバイス１１０が人によって装着されているかどうかを検知してもよい。たとえば、センサー１１４は、心拍数、脈拍、温度、動きなどを検出してもよく、これらは、コンピューティングデバイスが人間上にあるか、または人間によって装着されていることを示してもよい。コンピューティングデバイスが人間から取り外されたこと（たとえば、心拍数／脈拍が検知されない、温度の変化など）をセンサー１１４が検出したとき、ＷｉＧｉｇコンピューティングデバイス１１０を使用する場合がある前に、認証が必要とされてもよい。
【００４３】
[0050]一実施形態では、センサー１１４は、リストバンド１１２中のクラスプがいつ開閉されたかを検出し、それにより、ＷｉＧｉｇコンピューティングデバイス１１０が取り外された場合があることを示してもよい。
【００４４】
[0051]ＷｉＧｉｇコンピューティングデバイス１１０をもつユーザが、たとえば、端末１４０に接近するとき、ＷｉＧｉｇコンピューティングデバイス１１０と端末１４０とは通信してもよく、したがって、その組合せがユーザのコンピュータとして機能してもよい。一実施形態では、複数の端末１４０を与えてもよく、ＷｉＧｉｇコンピューティングデバイス１１０をもつ各ユーザは、ユーザのパーソナルコンピュータであるかのように端末１４０を使用してもよい。
【００４５】
[0052]ＷｉＧｉｇコンピューティングデバイス１１０とタブレット１３５との組合せが、同様の様式で機能してもよい。
[0053]一実施形態では、近接していることに加えて、または近接していることの代わりに、ユーザは、ＷｉＧｉｇコンピューティングデバイス１１０がインターフェースすべきディスプレイ１３０、タブレット１３５、または端末１４０を選択することを必要とされる場合がある。たとえば、ユーザは、コード（たとえば、ＰＩＮ、パスワード、ランダムに生成された数または文字列など）、ＷｉＧｉｇコンピューティングデバイス１１０に関連する識別子などを、ディスプレイ１３０、タブレット１３５、または端末１４０に与えてもよい。代替的に、ユーザは、コード（たとえば、ＰＩＮ、パスワード、ランダムに生成された数または文字列など）、ディスプレイ１３０、タブレット１３５、または端末１４０に関連する識別子を、ＷｉＧｉｇコンピューティングデバイス１１０に与えてもよい。必要に応じておよび／または要望に応じて、任意の好適なペアリングプロトコルを使用してもよい。
【００４６】
[0054]一実施形態では、ユーザは、ディスプレイ１３０、タブレット１３５、または端末１４０を使用する前に、ディスプレイ１３０、タブレット１３５、または端末１４０を認証してもよい。
【００４７】
[0055]一実施形態では、ユーザは、他のユーザのためにアクティブにする場合があるディスプレイ１３０、タブレット１３５、または端末１４０のうちの１つを選択してもよく、選択されたディスプレイ１３０、タブレット１３５、または端末１４０は、他のユーザがディスプレイ１３０、タブレット１３５、または端末１４０を使用する間、アクティブなままであってもよい。
【００４８】
[0056]一実施形態では、ディスプレイ１３０、タブレット１３５、または端末１４０は、ユーザがＷｉＧｉｇコンピューティングデバイス１１０を所持しているかどうか（これは、たとえば、許可されたユーザが、ディスプレイ１３０、タブレット１３５、または端末１４０に近接していることを示す）、あるいは、ディスプレイ１３０、タブレット１３５、または端末１４０にＷｉＧｉｇコンピューティングデバイス１１０が近接することなしに、他のユーザが、ディスプレイ１３０、タブレット１３５、または端末１４０を使用しているかどうかに応じて別様に、ユーザと対話してもよい。
【００４９】
[0057]一実施形態では、銀行など、小売環境において、担当者が、ＰＩＩおよび認証要件を保持してもよいコンピューティングデバイスを装着してもよい。このことは、ＷｉＧｉｇコンピューティングデバイス１１０が顧客に与えられなくてもよいので、ＷｉＧｉｇコンピューティングデバイス１１０が盗まれるかまたは危険にさらされるリスクを低減または解消する場合がある。代わりに、顧客は、「ダム(ｄｕｍｂ)」タブレット１３５、またはＷｉＧｉｇコンピューティングデバイス１１０のコンテンツを表示するために使用される他のディスプレイ１４０を備えてもよい。ダムタブレット１３５またはディスプレイ１４０は、ＷｉＧｉｇコンピューティングデバイス１１０からのデータを表示すること以外何も行わない場合があるので、生体認証、高価なデバイスの紛失、ＰＩＩの消失のリスク、および制限付きサーバ／アプリケーションへの無許可のアクセスのリスクは、取り除かれるか、または大幅に減少される。
【００５０】
[0058]一実施形態では、担当者は、コンピューティングデバイス上でデータ／ＰＩＩ／データセンター進入制御を依然として制御しながら、必要なときにダムタブレットまたはディスプレイを顧客に手渡すことによって、顧客と対話してもよい。一実施形態では、コンピューティングデバイスを使用するために追加の認証が必要とされないので、顧客経験は改善される。
【００５１】
[0059]一実施形態では、他のユーザデバイスは、ＢｌｕｅｔｏｏｔｈおよびＮＦＣを含む他のプロトコルによってコンピューティングデバイスと対話してもよい。
[0060]図２を参照すると、一実施形態による、ＷｉＧｉｇコンピューティングのための方法が提供される。
【００５２】
[0061]ステップ２０５において、ユーザは、ＷｉＧｉｇコンピューティングデバイスを備えてもよい。一実施形態では、ＷｉＧｉｇコンピューティングデバイスは、マイクロプロセッサベースデバイスでもよく、マイクロプロセッサ（ＣＰＵ）と、メモリと、少なくとも１つのワイヤレスインターフェースとを含んでもよい。ＷｉＧｉｇコンピューティングデバイスは、ＷｉＧｉｇコンピューティングデバイスが人間によって装着されているか否かを決定してもよい１つまたは複数のセンサーをさらに含んでもよい。
【００５３】
[0062]一実施形態では、ＷｉＧｉｇコンピューティングデバイスは、ユーザが装着してもよく、リストバンドを備えてもよい。
[0063]次に、ステップ２１０において、ＷｉＧｉｇコンピューティングデバイスは、ＷｉＧｉｇコンピューティングデバイスが、たとえば、脈拍、鼓動、温度、動きなどを検知するために１つまたは複数のセンサーを使用する人間によって装着されていることを検証してもよい。さらに、一実施形態では、ユーザは、生体サンプル（たとえば、指紋、画像走査など）を与えることによって、または、別個の電子デバイス（たとえば、信用できるスマートフォン）を使用することによって、ＷｉＧｉｇコンピューティングデバイスを認証してもよい。
【００５４】
[0064]ステップ２１５において、ＷｉＧｉｇコンピューティングデバイスを装着するユーザは、ディスプレイ、タブレット、端末、キオスクなど、ＷｉＧｉｇコンピューティングデバイスのためのディスプレイを与えてもよいディスプレイデバイスに接近してもよい。一実施形態では、ＷｉＧｉｇコンピューティングデバイスおよびディスプレイデバイスのうちの１つは、他方の存在を認識してもよい。
【００５５】
[0065]ステップ２２０において、ユーザは、ＷｉＧｉｇコンピューティングデバイスをディスプレイデバイスとペアリングしてもよい。一実施形態では、ユーザは、ＷｉＧｉｇコンピューティングデバイスによって与えられたコードをディスプレイデバイスに入力してもよく、別の実施形態では、ユーザは、ディスプレイデバイスによって与えられたコードをＷｉＧｉｇコンピューティングデバイスに与えてもよい。別の実施形態では、ＷｉＧｉｇコンピューティングデバイスは、機械可読コードを表示するか、または、機械可読コードがＷｉＧｉｇコンピューティングデバイスに付けられてもよく、ディスプレイデバイスは、たとえば、画像キャプチャデバイスを使用して、このコードを読み取って、デバイスをペアリングしてもよい。必要に応じておよび／または要望に応じて、ＷｉＧｉｇコンピューティングデバイスを電子デバイスとペアリングする任意の他の好適な様式を使用してもよい。
【００５６】
[0066]ステップ２２５において、ユーザは、１つまたは複数の人間入力デバイス（たとえば、タッチスクリーン、キーボード、マウス、タッチパッドなど）を使用してディスプレイデバイスと対話してもよい。ＷｉＧｉｇコンピューティングデバイスは、ディスプレイデバイスのためのコンピューティング能力を与えて（すなわち、ＣＰＵであって）もよく、ディスプレイデバイスは、ユーザ入力を受信し、ユーザ入力をＷｉＧｉｇコンピューティングデバイスに与えてもよい。
【００５７】
[0067]ステップ２３０において、ＷｉＧｉｇコンピューティングデバイスは、ＷｉＧｉｇコンピューティングデバイスが依然としてユーザによって装着されているかどうかを決定するために（１つまたは複数の）センサーを監視してもよい。ＷｉＧｉｇコンピューティングデバイスがユーザによって装着されていない場合、ステップ２４０において、ＷｉＧｉｇコンピューティングデバイスは、ディスプレイデバイスから切断してもよい。別の実施形態では、ＷｉＧｉｇコンピューティングデバイスは、ＷｉＧｉｇコンピューティングデバイスが再び装着されていることをＷｉＧｉｇコンピューティングデバイスが検知すると、ユーザが認証することを必要としてもよい。
【００５８】
[0068]ＷｉＧｉｇデバイスが装着されていることをＷｉＧｉｇデバイスが検知した場合、ステップ２３５において、ＷｉＧｉｇコンピューティングデバイスおよび／またはディスプレイデバイスは、ＷｉＧｉｇコンピューティングデバイスとディスプレイデバイスとが互いの動作範囲内にあるかどうかを決定してもよい。一実施形態では、ＷｉＧｉｇコンピューティングデバイスとディスプレイデバイスとの間の近似距離を決定するために、無線信号強度インジケータ、またはＲＳＳＩを使用してもよい。そのようなものの一例が、その開示の全体が参照により本明細書に組み込まれる、米国仮特許出願第６２／３５３，８４８号において開示される。
【００５９】
[0069]ＷｉＧｉｇコンピューティングデバイスとディスプレイデバイスとが所定の距離内にない場合、ステップ２４０において、ＷｉＧｉｇコンピューティングデバイスは、ディスプレイデバイスから切断してもよい。一実施形態では、ディスプレイデバイスの揮発性メモリをクリアしてもよい。
【００６０】
[0070]別の実施形態では、エリア内の人のロケーションに基づいて、異なるアプリケーションへのアクセスまたはネットワークルーティングを可能にするために、ライトフィデリティ（Ｌｉ−Ｆｉ：Ｌｉｇｈｔ  Ｆｉｄｅｌｉｔｙ）を使用してもよい。たとえば、小売銀行環境では、顧客が銀行員と一緒にキオスクにいる場合、銀行員は、顧客情報データへのアクセスを有してもよい。ＡＴＭにいるとき、取引を認証し、承認するために、銀行員にアクセスを与えてもよい。しかしながら、オープンエリア（ｏｐｅｎ  ａｒｅａ）では、顧客は、一般的な支店情報にのみアクセスしてもよい。
【００６１】
[0071]一実施形態では、個人について異なるペルソナ（ｐｅｒｓｏｎａ）を与えるためにＬｉＦｉを使用してもよい。たとえば、１つまたは複数のＬｉＦｉ送信機を、たとえば、銀行内に配置してもよい。ユーザが送信機の近くにいるとき、ユーザを認証してもよく、そのエリアに関連するアプリケーションを与えてもよい。たとえば、ユーザのオフィス中では、アプリケーションのオフィススイートを与えてもよい。ただし、顧客エリア中で対話するときは、顧客中心アプリを与えてもよい。必要に応じておよび／または要望に応じて、他のペルソナ、使用法などを使用してもよい。
【００６２】
[0072]以下で、本発明のシステムおよび方法の実装形態の一般的態様が説明される。
[0073]本発明のシステムまたは本発明のシステムの部分は、たとえば、汎用コンピュータなど、「処理機械」の形態であってもよい。本明細書で使用される「処理機械」という用語は、少なくとも１つのメモリを使用する少なくとも１つのプロセッサを含むと理解されたい。少なくとも１つのメモリは、命令のセットを記憶する。命令を、処理機械の１つまたは複数のメモリに、永続的にまたは一時的に記憶してもよい。プロセッサは、データを処理するために、１つまたは複数のメモリに記憶された命令を実行する。命令のセットは、上記で説明されたタスクなど、１つまたは複数の特定のタスクを実施する様々な命令を含んでもよい。特定のタスクを実施するための命令のそのようなセットは、プログラム、ソフトウェアプログラム、または単にソフトウェアとして特徴づけられる場合がある。
【００６３】
[0074]一実施形態では、処理機械は専用プロセッサでもよい。
[0075]上述のように、処理機械は、データを処理するために、１つまたは複数のメモリに記憶された命令を実行する。データのこの処理は、たとえば、処理機械の１人または複数のユーザによるコマンドに応答し、前の処理に応答し、別の処理機械および／または任意の他の入力部による要求に応答してもよい。
【００６４】
[0076]上述のように、本発明を実装するために使用される処理機械は、汎用コンピュータでもよい。しかしながら、上記で説明された処理機械はまた、たとえば、マイクロコンピュータ、ミニコンピュータまたはメインフレーム、プログラムされたマイクロプロセッサ、マイクロコントローラ、周辺集積回路要素、ＣＳＩＣ（特定顧客向け集積回路（Ｃｕｓｔｏｍｅｒ  Ｓｐｅｃｉｆｉｃ  Ｉｎｔｅｇｒａｔｅｄ  Ｃｉｒｃｕｉｔ））またはＡＳＩＣ（特定用途向け集積回路）または他の集積回路、論理回路、デジタル信号プロセッサ、ＦＰＧＡ、ＰＬＤ、ＰＬＡまたはＰＡＬなどのプログラマブル論理デバイス、あるいは、本発明のプロセスのステップを実装することが可能である任意の他のデバイスまたはデバイスの構成を含む、専用コンピュータ、コンピュータシステムを含む多種多様な他の技術のうちのいずれかを利用してもよい。
【００６５】
[0077]本発明を実装するために使用される処理機械は、好適なオペレーティングシステムを利用してもよい。したがって、本発明の実施形態は、ｉＯＳオペレーティングシステム、ＯＳ  Ｘオペレーティングシステム、Ａｎｄｒｏｉｄオペレーティングシステム、Ｍｉｃｒｏｓｏｆｔ  Ｗｉｎｄｏｗｓ（商標）オペレーティングシステム、Ｕｎｉｘオペレーティングシステム、Ｌｉｎｕｘ（登録商標）オペレーティングシステム、Ｘｅｎｉｘオペレーティングシステム、ＩＢＭ  ＡＩＸ（商標）オペレーティングシステム、Ｈｅｗｌｅｔｔ−Ｐａｃｋａｒｄ  ＵＸ（商標）オペレーティングシステム、Ｎｏｖｅｌｌ  Ｎｅｔｗａｒｅ（商標）オペレーティングシステム、Ｓｕｎ  Ｍｉｃｒｏｓｙｓｔｅｍｓ  Ｓｏｌａｒｉｓ（商標）オペレーティングシステム、ＯＳ／２（商標）オペレーティングシステム、ＢｅＯＳ（商標）オペレーティングシステム、Ｍａｃｉｎｔｏｓｈオペレーティングシステム、Ａｐａｃｈｅオペレーティングシステム、ＯｐｅｎＳｔｅｐ（商標）オペレーティングシステム、あるいは別のオペレーティングシステムまたはプラットフォームを実行する処理機械を含んでもよい。
【００６６】
[0078]上記で説明されたように本発明の方法を実施するために、処理機械のプロセッサおよび／またはメモリが同じ地理的場所に物理的にあることは必要でないことを諒解されたい。すなわち、処理機械によって使用されるプロセッサおよびメモリの各々は、地理的に別個のロケーションにあり、任意の好適な様式で通信するように接続されてもよい。加えて、プロセッサおよび／またはメモリの各々が、異なる物理的機器から構成されてもよいことを諒解されたい。したがって、プロセッサが、あるロケーション中のある単一の機器であり、メモリが、別のロケーション中の別の単一の機器であることは、必要でない。すなわち、プロセッサは２つの異なる物理的ロケーション中の２つの機器でもよいことが企図される。２つの別個の機器を、任意の好適な様式で接続してもよい。加えて、メモリは、２つまたはそれ以上の物理的ロケーション中のメモリの２つまたはそれ以上の部分を含んでもよい。
【００６７】
[0079]さらに説明するために、上記で説明されたように、処理は、様々な構成要素および様々なメモリによって実施される。しかしながら、上記で説明されたように２つの別個の構成要素によって実施される処理は、本発明のさらなる実施形態によれば、単一の構成要素によって実施されてもよいことを諒解されたい。さらに、上記で説明されたように１つの別個の構成要素によって実施される処理は、２つの別個の構成要素によって実施されてもよい。同様にして、上記で説明されたように２つの別個のメモリ部分によって実施されるメモリ記憶は、本発明のさらなる実施形態によれば、単一のメモリ部分によって実施されてもよい。さらに、上記で説明されたように１つの別個のメモリ部分によって実施されるメモリ記憶は、２つのメモリ部分によって実施されてもよい。
【００６８】
[0080]さらに、様々なプロセッサおよび／またはメモリの間の通信を行うために、ならびに、本発明のプロセッサおよび／またはメモリが他のエンティティと通信することを可能にするために、すなわち、たとえば、さらなる命令を取得するかまたはリモートメモリストアにアクセスし、使用するように、様々な技術を使用してもよい。そのような通信を行うために使用されるそのような技術は、たとえば、ネットワーク、インターネット、イントラネット、エクストラネット、ＬＡＮ、イーサネット（登録商標）、セルタワーまたは衛星を介したワイヤレス通信、あるいは通信を行う任意のクライアントサーバシステムを含んでもよい。そのような通信技術は、たとえば、ＴＣＰ／ＩＰ、ＵＤＰ、またはＯＳＩなど、任意の好適なプロトコルを使用してもよい。
【００６９】
[0081]上記で説明されたように、本発明の処理において命令のセットを使用してもよい。命令のセットは、プログラムまたはソフトウェアの形態であってもよい。ソフトウェアは、たとえば、システムソフトウェアまたはアプリケーションソフトウェアの形態であってもよい。ソフトウェアはまた、たとえば、別個のプログラムの集合、より大きいプログラム内のプログラムモジュール、またはプログラムモジュールの一部分の形態であってもよい。使用されるソフトウェアはまた、オブジェクト指向プログラミングの形態のモジュラープログラミングを含んでもよい。ソフトウェアは、処理されているデータをどうすべきかを処理機械に伝える。
【００７０】
[0082]さらに、本発明の実装および動作において使用される命令または命令のセットは、処理機械が命令を読み取ってもよいような好適な形態であってもよいことを諒解されたい。たとえば、プログラムを形成する命令は好適なプログラミング言語の形態であってもよく、好適なプログラミング言語は、１つまたは複数のプロセッサが命令を読み取ることを可能にするために機械語またはオブジェクトコードに変換される。すなわち、特定のプログラミング言語での、プログラミングコードまたはソースコードの書き込まれたラインは、コンパイラ、アセンブラまたはインタープリタを使用して機械語に変換される。機械語は、たとえば、特定のタイプの処理機械に、すなわち、特定のタイプのコンピュータに固有である２進コード化機械命令である。コンピュータは機械語を理解する。
【００７１】
[0083]本発明の様々な実施形態によれば、任意の好適なプログラミング言語を使用してもよい。例証的に、使用されるプログラミング言語は、たとえば、アセンブリ言語、Ａｄａ、ＡＰＬ、Ｂａｓｉｃ、Ｃ、Ｃ＋＋、ＣＯＢＯＬ、ｄＢａｓｅ、Ｆｏｒｔｈ、Ｆｏｒｔｒａｎ、Ｊａｖａ（登録商標）、Ｍｏｄｕｌａ−２、Ｐａｓｃａｌ、Ｐｒｏｌｏｇ、ＲＥＸＸ、Ｖｉｓｕａｌ  Ｂａｓｉｃ、および／またはＪａｖａＳｃｒｉｐｔ（登録商標）を含んでもよい。さらに、単一のタイプの命令または単一のプログラミング言語が本発明のシステムおよび方法の動作とともに利用されることは、必要でない。そうではなく、必要に応じておよび／または要望に応じて、任意の数の異なるプログラミング言語を利用してもよい。
【００７２】
[0084]また、本発明の実施において使用される命令および／またはデータは、要望に応じて、任意の圧縮または暗号化技法またはアルゴリズムを利用してもよい。データを暗号化するために暗号化モジュールを使用してもよい。さらに、たとえば、好適な解読モジュールを使用してファイルまたは他のデータを解読してもよい。
【００７３】
[0085]上記で説明されたように、本発明を、たとえば、少なくとも１つのメモリを含む、コンピュータまたはコンピュータシステムを含む処理機械の形態で、例証的に具現してもよい。たとえば、上記で説明された動作をコンピュータオペレーティングシステムが実施することを可能にする、命令のセット、すなわち、ソフトウェアを、要望に応じて、多種多様な１つまたは複数の媒体のうちのいずれか上に含めてもよいことを諒解されたい。さらに、命令のセットによって処理されるデータをも、多種多様な１つまたは複数の媒体のうちのいずれか上に含めてもよい。すなわち、本発明において使用される命令のセットおよび／またはデータを保持するために利用される、特定の媒体、すなわち、処理機械中のメモリは、たとえば、様々な物理的形態または送信のうちのいずれかをとってもよい。例証的に、媒体は、紙、透明紙（ｐａｐｅｒ  ｔｒａｎｓｐａｒｅｎｃｙ）、コンパクトディスク、ＤＶＤ、集積回路、ハードディスク、フロッピーディスク、光ディスク、磁気テープ、ＲＡＭ、ＲＯＭ、ＰＲＯＭ、ＥＰＲＯＭ、ワイヤ、ケーブル、ファイバー、通信チャネル、衛星送信、メモリカード、ＳＩＭカード、または他のリモート送信、ならびに、本発明のプロセッサによって読み取ってもよいデータの任意の他の媒体またはソースの形態であってもよい。
【００７４】
[0086]さらに、本発明を実装する処理機械において使用される１つまたは複数のメモリは、要望に応じて、メモリが、命令、データ、または他の情報を保持することを可能にするために多種多様な形態のうちのいずれかであってもよい。したがって、メモリは、データを保持するためのデータベースの形態であってもよい。データベースは、たとえば、フラットファイル構成またはリレーショナルデータベース構成など、ファイルの任意の所望の構成を使用してもよい。
【００７５】
[0087]本発明のシステムおよび方法では、ユーザが、本発明を実装するために使用される１つまたは複数の処理機械とインターフェースすることを可能にするために、様々な「ユーザインターフェース」を利用してもよい。本明細書で使用される、ユーザインターフェースは、ユーザが処理機械と対話することを可能にする処理機械によって使用される任意のハードウェア、ソフトウェア、またはハードウェアとソフトウェアとの組合せを含む。ユーザインターフェースは、たとえばダイアログスクリーンの形態であってもよい。ユーザインターフェースは、ユーザインターフェースが命令のセットを処理し、および／または処理機械に情報を与えるとき、ユーザが処理機械の動作に関する情報を受信することを可能にする、マウス、タッチスクリーン、キーボード、キーパッド、ボイスリーダー、ボイス認識器、ダイアログスクリーン、メニューボックス、リスト、チェックボックス、トグルスイッチ、押しボタンまたは任意の他のデバイスのうちのいずれかをも含んでもよい。したがって、ユーザインターフェースは、ユーザと処理機械との間の通信を行うデバイスである。ユーザインターフェースを通してユーザによって処理機械に与えられた情報は、たとえば、コマンド、データの選択、または何らかの他の入力の形態であってもよい。
【００７６】
[0088]上記で説明されたように、ユーザインターフェースは、処理機械がユーザのためのデータを処理するように、命令のセットを実施する処理機械によって利用される。ユーザインターフェースは、一般に、情報を伝達することまたはユーザから情報を受信することのいずれかを行うためにユーザと対話するために処理機械によって使用される。しかしながら、本発明のシステムおよび方法のいくつかの実施形態によれば、人間ユーザが本発明の処理機械によって使用されるユーザインターフェースと実際に対話することは必要でないことを諒解されたい。そうではなく、本発明のユーザインターフェースは、人間ユーザではなく、他の処理機械と対話してもよく、すなわち、情報を伝達および受信してもよいことも企図される。したがって、他の処理機械を、ユーザとして特徴づけてもよい。さらに、本発明のシステムおよび方法において利用されるユーザインターフェースは、１つまたは複数の他の処理機械と部分的に対話しながら、人間ユーザとも部分的に対話してもよいことが企図される。
【００７７】
[0089]本発明は広い有用性および適用が可能であることが、当業者によって容易に理解されよう。本明細書で説明されるもの以外の本発明の多くの実施形態および適応形態、ならびに、多くの変形形態、変更形態および等価な構成が、本発明の要旨または範囲から逸脱することなく、本発明および本発明の上記の説明から明らかになるか、またはそれらによって合理的に示唆される。
【００７８】
[0090]したがって、本発明は、本発明の例示的な実施形態に関して詳細にここで説明されたが、本開示は本発明の例証および例示にすぎず、本発明の有効な開示を与えるためになされることを理解されたい。したがって、上記の開示は、本発明を限定すると解釈されるものではなく、あるいはさもなければ、任意の他のそのような実施形態、適応形態、変形形態、変更形態または等価な構成を除外するものと解釈されるものではない。
【図１】
2019527421.tif 000003
【図２】
2019527421.tif 000004
【国際調査報告】
2019527421.tif 000005